(57)【要約】 【課題】  携帯電話端末装置の保持情報のローミング先への修正を達成する。【解決手段】  携帯電話端末装置１の使用において、自国外へのローミングに際して、ＵＳＩＭカード１４の制御部４１及びメモリ４２を用いて認証確認を行う。この認証確認後に、制御部４１においてローミング先から返送されて来るオペレータ情報に基づいてローミング先との間に時差があるか否かを確認し、時差があるならば、国番号情報に基づいて携帯電話端末装置１の時刻を修正する。制御部４１は、修正時刻に基づいてスケジュール機能情報を修正すると共に、電話帳情報を国番号情報に基づいて修正する。【選択図】      図１
2006246049.tif 000002
【特許請求の範囲】
【請求項１】
契約外通信システムへのローミング処理に際して前記契約外通信システムに接続される端末装置で保持する保持情報の修正を行う保持情報修正方法であって、
前記保持情報の修正に用いる情報をローミング先の情報供給部から取得し、
取得した前記情報に基づいて前記保持情報を修正することを特徴とする保持情報修正方法。
【請求項２】
前記情報は、前記ローミング先のオペレータ情報であることを特徴とする請求項１記載の保持情報修正方法。
【請求項３】
前記ローミング先は自国外で、前記情報は前記ローミング先のオペレータ情報であり、前記保持情報の修正は、前記オペレータ情報の国番号情報に基づく時刻の修正であることを特徴とする請求項１又は２記載の保持情報修正方法。
【請求項４】
前記ローミング先は自国外で、前記情報は前記ローミング先のオペレータ情報であり、前記保持情報の修正は、前記オペレータ情報の国番号情報に基づく時刻の修正と、修正された前記時刻に基づくスケジュール機能情報の修正であることを特徴とする請求項３記載の保持情報修正方法。
【請求項５】
前記ローミング先は自国外で、前記情報は前記ローミング先のオペレータ情報であり、前記保持情報の修正は、前記オペレータ情報の国番号情報に基づく電話帳情報の修正であることを特徴とする請求項１又は２記載の保持情報修正方法。
【請求項６】
契約外通信システムに接続され、該契約外通信システムへのローミング処理に際して保持情報の修正を行う情報端末装置であって、
前記保持情報の修正に用いる情報をローミング先の情報供給部から取得する情報取得手段と、
該情報取得手段によって取得された前記情報に基づいて前記保持情報を修正する修正手段とを備えることを特徴とする情報端末装置。
【請求項７】
前記情報は、前記ローミング先のオペレータ情報であることを特徴とする請求項６記載の情報端末装置。
【請求項８】
前記ローミング先は自国外で、前記情報取得手段で取得する前記ローミング先の情報は前記ローミング先のオペレータ情報であり、前記保持情報の修正は、前記オペレータ情報の国番号情報に基づく時刻の修正であることを特徴とする請求項６又は７記載の情報端末装置。
【請求項９】
前記ローミング先は自国外で、前記情報取得手段で取得する前記情報は前記ローミング先のオペレータ情報であり、前記保持情報の修正は、前記オペレータ情報の国番号情報に基づく時刻の修正と、修正された前記時刻に基づくスケジュール機能情報の修正であることを特徴とする請求項８記載の情報端末装置。
【請求項１０】
前記ローミング先は自国外で、前記情報取得手段で取得する前記情報は前記ローミング先のオペレータ情報であり、前記保持情報の修正は、前記オペレータ情報の国番号情報に基づく電話帳情報の修正であることを特徴とする請求項６又は７記載の情報端末装置。
【請求項１１】
契約外通信システムに接続され、該契約外通信システムへのローミング処理に際して保持情報の修正を行う携帯電話端末装置であって、
前記保持情報の修正に用いる情報をローミング先の情報供給部から取得する情報取得手段と、
該情報取得手段によって取得された前記情報に基づいて前記保持情報を修正する修正手段とをＵＳＩＭカードに設けることを特徴とする携帯電話端末装置。
【請求項１２】
契約外通信システムに接続され、該契約外通信システムへのローミング処理に際して保持情報の修正を行う携帯電話端末装置であって、
ローミング先の情報供給部の情報を取得する非接触ＩＣカードと、
該接触ＩＣカードによって取得された前記情報に基づいて前記保持情報を修正する修正手段とを備えることを特徴とする携帯電話端末装置。
【請求項１３】
コンピュータに請求項１乃至５のいずれか一に記載の保持情報修正方法を実行させることを特徴とする制御プログラム。
【請求項１４】
コンピュータに請求項６乃至１０のいずれか一に記載の情報端末装置を制御させることを特徴とする制御プログラム。
【請求項１５】
コンピュータに請求項１１又は１２記載の携帯電話端末装置を制御させることを特徴とする制御プログラム。
【発明の詳細な説明】
【技術分野】
【０００１】
この発明は、保持情報修正方法、情報端末装置及び携帯電話端末装置並びにその制御プログラムに関し、詳しくはローミング先に応じた保持情報の修正に係る保持情報修正方法、情報端末装置及び携帯電話端末装置並びにその制御プログラムに関する。
【背景技術】
【０００２】
現在の通信システムは、自国外であるか自国内であるかを問わず、複数の事業者によって構築された通信システムの複合体として構成されている。
そして、このような複合化された通信システム間でも、相互に通信を交わし得るシステム構成、すなわち、通信システムの標準化も採用されている。
【０００３】
このように複合化され、標準化された通信システム間で通信を行い得る１つの手段として、特に、自国内の通信システムと自国外の通信システムとの間の通話においては、国毎のオペレータ間でのローミングサービスの提供を行うシステム（以下、従来の通信システムという）が構築されている。
【０００４】
このようなローミングを実現させ、機密性を保ち、ユーザーデータの共有化を図るために、ＵＳＩＭ（ＵserＳubscriberＩdentity Ｍodule）を利用した携帯電話端末装置が知られている。
ＵＳＩＭの機能には、ローミング先のオペレータとの認証、ユーザーデータ（電話帳）の保存がある。
【０００５】
また、特許文献１には、加入者識別カードのカード電話帳データと、カード式電話装置の電話機電話帳データとを共有化したカード式電話装置が開示されている。
このカード式電話装置は、図５に示すように、携帯電話装置５２と加入者識別カード（ＵＩＭカード）５４とから成り、携帯電話装置５２は、制御部６０及び電話帳記憶部６２を有し、加入者識別カード５４は、カード制御部５６及びカード記憶部５８を有してて構成される。
なお、カード式電話装置５２には、通信部６４、ＬＣＤ６６、キー入力部６８等も装備されている。
【０００６】
このカード式電話装置において、携帯電話装置５２に加入者識別カード５４が挿入されると、加入者識別カード５４のカード制御部５６がそのカード記憶部５８のカード電話帳データ５９を読み出して携帯電話装置５２の制御部６０に転送し、制御部６０は、受け取ったカード電話帳データで携帯電話装置５２の電話帳記憶部６２の電話機電話帳データを更新するようにしている。
【０００７】
特許文献２は、現在地の日付を行き先の日付に自動変更し得るデート表示装置に係る技術が開示されている。
このデート表示装置は、入力手段（キー操作部）７０と、第１の記憶手段（ＥＥＰＲＯＭ）７２及び第２の記憶手段（ＲＯＭ）７４を有するＩＣカード７５と、日付情報生成手段（日付データ生成部）７６、判別手段（判別回路）７８、情報変更手段（日付データ変更部）８０及び表示制御手段（表示制御部）８２を有する制御部８３と、表示手段（ＬＣＤ表示部）８４とを有して構成される。
【０００８】
上記デート表示装置において、入力手段７０から入力された旅行予定情報を第１の記憶手段７２に記憶させると共に、現在地と行き先との時差情報を第２の記憶手段７４に記憶させる。日付情報生成手段７６で生成された日付情報が第１の記憶手段の旅行予定情報の期間内にあることが判別手段７８で判別されたとき、日付情報生成手段７６で生成された日付情報を情報変更手段８０で第２の記憶手段の時差情報に基づいて行き先の日付情報に変更し、変更された日付情報を表示制御手段８２の制御の下に表示手段８４に表示させる。
【特許文献１】特開２００４−０８８２３５号公報
【特許文献２】特開平１１−１０９４７７号公報
【特許文献３】特開２００１−０１３２７８号公報
【特許文献４】特開２００２−２５９６４５号公報
【発明の開示】
【発明が解決しようとする課題】
【０００９】
上述した従来の通信システムは、ＵＳＩＭを利用した携帯電話端末装置を通信システムの端末装置として用いてローミングを実現させ、機密性を保ち、ユーザーデータの共有化を図るように構成されているが、そこで用いれるＵＳＩＭは、ローミング先のオペレータとの認証、ユーザーデータ（電話帳）の保存を行うことにある。
したがって、自国外へのローミングを行った場合に、時差があるとき、時刻が自動的に修正することができない。
【００１０】
また、そのため、自国外へローミングをしたとき、スケジュール情報は、自国情報のままにあり、日付、時刻に差分が生じてしまう。
また、自国外へローミングをした際、発信履歴情報の変更、すなわち、国際電話発信情報の追加又は削除はなく、自国情報のままであるため、発信履歴情報を元に発信できない。
【００１１】
また、特許文献１に記載されるカード式電話装置は、携帯電話装置５２への加入者識別カード５４の挿入時に、そのカード制御部５６がカード５４のカード記憶部５８に記憶されたカード電話帳データ５９を読み出し、読み出されたカード電話帳データ５９を携帯電話装置５２の制御部６０が、電話帳記憶部６２の電話機電話帳データを更新することはできる。
しかしながら、このカード式電話装置における電話機電話帳データの更新は、加入者識別カードに記憶されているカード電話帳データでしか行うことはできない。
【００１２】
特許文献２に記載されるデート表示装置は、入力手段７０によって旅行予定情報を第１の記憶手段７２に記憶させ、かつ、現在地と行き先との時差情報を第２の記憶手段７４に記憶させている。その上で、日付情報生成手段７６で生成された日付情報が第１の記憶手段の旅行予定情報の期間内にあることを判別手段７８が判別したとき、日付情報生成手段７６で生成された日付情報を情報変更手段８０で第２の記憶手段７４の時差情報に基づいて行き先の日付情報に変更することが示されている。
したがって、行き先の日付情報の変更をするに当って、デート表示装置自身に、予め、時差情報を記憶して置くことが必須であり、行く先々の時差情報を事前にデート表示装置に入力して置かなければ成らないという煩わしさがある。
【００１３】
この発明は、上述の事情に鑑みてなされたもので、ローミング先に応じて保持情報を修正し得る保持情報修正方法、情報端末装置及び携帯電話端末装置並びにその制御プログラムを提供することを目的としている。
【課題を解決するための手段】
【００１４】
上記課題を解決するために、請求項１記載の発明は、契約外通信システムへのローミング処理に際して上記契約外通信システムに接続される端末装置で保持する保持情報の修正を行う保持情報修正方法に係り、上記保持情報の修正に用いる情報をローミング先の情報供給部から取得し、取得した上記情報に基づいて上記保持情報を修正することを特徴としている。
【００１５】
請求項２記載の発明は、請求項２記載の保持情報修正方法に係り、上記情報は、上記ローミング先のオペレータ情報であることを特徴としている。
【００１６】
請求項３記載の発明は、請求項１又は２記載の保持情報修正方法に係り、上記ローミング先は自国外で、上記情報は上記ローミング先のオペレータ情報であり、上記保持情報の修正は、上記オペレータ情報の国番号情報に基づく時刻の修正であることを特徴としている。
【００１７】
請求項４記載の発明は、請求項３記載の保持情報修正方法に係り、上記ローミング先は自国外で、上記情報は上記ローミング先のオペレータ情報であり、上記保持情報の修正は、上記オペレータ情報の国番号情報に基づく時刻の修正と、修正された上記時刻に基づくスケジュール機能情報の修正であることを特徴としている。
【００１８】
請求項５記載の発明は、請求項１又は２記載の保持情報修正方法に係り、上記ローミング先は自国外で、上記情報は上記ローミング先のオペレータ情報であり、上記保持情報の修正は、上記オペレータ情報の国番号情報に基づく電話帳情報の修正であることを特徴としている。
【００１９】
請求項６記載の発明は、契約外通信システムに接続され、該契約外通信システムへのローミング処理に際して保持情報の修正を行う情報端末装置に係り、上記保持情報の修正に用いる情報をローミング先の情報供給部から取得する情報取得手段と、該情報取得手段によって取得された上記情報に基づいて上記保持情報を修正する修正手段とを備えることを特徴としている。
【００２０】
請求項７記載の発明は、請求項６記載の情報端末装置に係り、上記情報は、上記ローミング先のオペレータ情報であることを特徴としている。
【００２１】
請求項８記載の発明は、請求項６又は７記載の情報端末装置に係り、上記ローミング先は自国外で、上記情報取得手段で取得する上記ローミング先の情報は上記ローミング先のオペレータ情報であり、上記保持情報の修正は、上記オペレータ情報の国番号情報に基づく時刻の修正であることを特徴としている。
【００２２】
請求項９記載の発明は、請求項８記載の情報端末装置に係り、上記ローミング先は自国外で、上記情報取得手段で取得する上記情報は上記ローミング先のオペレータ情報であり、上記保持情報の修正は、上記オペレータ情報の国番号情報に基づく時刻の修正と、修正された上記時刻に基づくスケジュール機能情報の修正であることを特徴としている。
【００２３】
請求項１０記載の発明は、請求項６又は７記載の情報端末装置に係り、上記ローミング先は自国外で、上記情報取得手段で取得する上記情報は上記ローミング先のオペレータ情報であり、上記保持情報の修正は、上記オペレータ情報の国番号情報に基づく電話帳情報の修正であることを特徴としている。
【００２４】
請求項１１記載の発明は、契約外通信システムに接続され、該契約外通信システムへのローミング処理に際して保持情報の修正を行う携帯電話端末装置に係り、上記保持情報の修正に用いる情報をローミング先の情報供給部から取得する情報取得手段と、該情報取得手段によって取得された上記情報に基づいて上記保持情報を修正する修正手段とをＵＳＩＭカードに設けることを特徴としている。
【００２５】
請求項１２記載の発明は、契約外通信システムに接続され、該契約外通信システムへのローミング処理に際して保持情報の修正を行う携帯電話端末装置に係り、ローミング先の情報供給部の情報を取得する非接触ＩＣカードと、該接触ＩＣカードによって取得された上記情報に基づいて上記保持情報を修正する修正手段とを備えることを特徴としている。
【００２６】
請求項１３記載の発明は、コンピュータに請求項１乃至５のいずれか一に記載の保持情報修正方法を実行させることを特徴とする制御プログラムに係る。
【００２７】
請求項１４記載の発明は、コンピュータに請求項６乃至１０のいずれか一に記載の情報端末装置を制御させることを特徴とする制御プログラムに係る。
【００２８】
請求項１５記載の発明は、コンピュータに請求項１１又は１２記載の携帯電話端末装置を制御させることを特徴とする制御プログラムに係る。
【発明の効果】
【００２９】
この発明によれば、契約外通信システムへのローミング処理に際して契約外通信システムに接続される情報端末装置で保持する保持情報の修正に用いる情報をローミング先から取得し、取得した情報に基づいて保持情報を修正するようにしたので、情報端末装置の保持情報をローミングに際してローミング先に応じた情報に修正することができる。
【発明を実施するための最良の形態】
【００３０】
この発明は、契約外通信システムへのローミング処理に際して契約外通信システムに接続される情報端末装置で保持する保持情報の修正のための情報をローミング先から取得し、取得した情報に基づいて保持情報を修正するようにして構成される。
【実施例１】
【００３１】
図１は、この発明の実施例１であるＵＳＩＭカード付き携帯電話端末装置の電気的構成を示す図、図２は、同ＵＳＩＭカード付き携帯電話端末装置のローミング時の保持情報修正処理手順を示すフローチャートである。
この実施例のＵＳＩＭカード付き携帯電話端末装置（以下、携帯電話端末装置という）１は、登録済みの時刻情報等をローミング先の時刻情報に基づいて修正する機能を有する装置に係り、図１に示すように、携帯電話装置本体１２と、ＵＳＩＭカード１４とから概略構成されている。
【００３２】
携帯電話装置本体１２は、無線部２１と、表示部２２と、操作部２３と、第１のメモリ２４と、第２のメモリ２５と、音声処理部２６と、制御部２７と、スピーカー２８と、マイク２９とを有して成る。無線部２１はアンテナ３０が接続される。
【００３３】
無線部２１は、アンテナ３０への又はそこからの信号を送受信する回路である。
表示部２２は、情報を表示する表示装置である。
操作部２３は、入出力情報を処理するキーボードである。
第１のメモリ２４及び第２のメモリ２５は、データを保持、保管する記憶装置である。
音声処理部２６は、スピーカー２８及びマイク２９に接続され、スピーカー２８への、また、マイク２９からの信号を処理する回路である。
制御部２７は、無線部部２１、表示部２２、操作部２３、第１のメモリ２４、第２のメモリ２５及び音声処理部２６に接続され、これらの各部の機能を制御する処理装置である。
【００３４】
ＵＳＩＭカード１４は、メモリ４１と、制御部４２とを有して成る。
メモリ４１は、ユーザ認証のためのデータを記憶する記憶装置である。
制御部４２は、制御部２７からの各種処理要求に対する制御、例えば、ローミング時にユーザ認証に必要なデータの要求に応答してメモリ４１の対応するデータを読み出してユーザ認証の制御を行う処理部である。
制御部２７も、また、制御部４１も、プログラムで所定の処理を行うように構成される。図２は、制御部４１で実行されるプログラムの処理手順を示す。
【００３５】
上記処理手順を順次実行するプログラムは、メモリ２４、２５及びメモリ４２に記憶されており、これらメモリに記憶されているプログラムを制御部２７、４１内の図示しないＣＰＵによって読み出してＣＰＵにおいて実行することによって所定の処理を行う。このようなプログラムの実行によって図２に示す処理手順が順次行われるようにして制御部４１は構成されている。
制御部２７は、この発明との関係では制御部４１からのデータを受け渡す処理行う。
【００３６】
次に、図１及び図２を参照して、この実施例の動作について説明する。
携帯電話端末装置１においてローミングを行わない通話における携帯電話端末装置１の通常の使用においては、従来と同様、携帯電話端末装置本体１２の各部、すなわち、無線部２１、表示部２２、操作部２３、第１のメモリ２４、第２のメモリ２５、音声処理部２６、制御部２７、スピーカー２８及びマイク２９がその通話に用いれる。
なお、この通話時に、ＵＳＩＭカード１４の機能としてある認証確認（セキュリティ確認）が、制御部４１の制御の下に行われる。
【００３７】
携帯電話端末装置１の使用において、その通話相手が、例えば、外国のユーザとなる場合には、公知の技術によりそのユーザに対してローミングを行う。
そのローミングにおいて、ローミング先についてＵＳＩＭカード１４の機能、すなわち、制御部４１及びメモリ４２を動作させて認証処理を開始し（図２のＳ１）、ローミング先のオペレータに接続し、認証を完了した後（Ｓ２）、オペレータ情報を携帯電話端末装置１に返送して携帯電話端末装置１側でローミング先のオペレータ情報（国番号、自国との時差）を確認する（Ｓ３）。この確認は、操作部２３及び表示部２２を介して行われる。
この確認で自国との時差がないならば（Ｓ３のＮ）、携帯電話端末装置１の設定を従来設定のままで使用する。
【００３８】
上記の確認で自国との時差があるならば（Ｓ３のＹ）、確認したオペレータ情報の国番号情報に基づいて携帯電話端末装置１の時刻が正確か否かを確認する（Ｓ４）。
時刻が合っているならば（Ｓ４のＹＥＳ）、待受け状態に入る（Ｓ１０）。この待受け状態においても、ＵＳＩＭカード１４の機能としてある認証確認が、制御部４２の制御の下に行われる。
時刻が合っていないならば（Ｓ４のＮＯ）、国番号情報を元に携帯電話端末装置１の時刻を修正する（Ｓ５）。この修正は、操作部２３及び表示部２２を用いて行われる。
【００３９】
次いで、スケジュール機能情報の修正が必要か否かを確認する（Ｓ６）。この確認は、操作部２３及び表示部２２を介して行われる。
この確認において、修正が不要であるならば（Ｓ６のＮ）、待受け状態に入る（Ｓ１０）。
上記確認において、修正が必要ならば（Ｓ６のＹ）、上述した時刻修正情報に基づいて、スケジュール機能情報を修正する（Ｓ７）。この修正は、操作部２３及び表示部２２を用いて行われる。
【００４０】
次いで、電話帳情報を修正するか否かを確認する（Ｓ８）。この確認は、操作部２３及び表示部２２を介して行われる。
この確認において、修正が不要であるならば（Ｓ８のＮ）、待受け状態に入る（Ｓ１０）。この待受け状態においても、ＵＳＩＭカード１４の機能としてある認証確認が、制御部４２の制御の下に行われる。
上記確認において、修正が必要ならば（Ｓ８のＹ）、上述した国番号情報に基づいて、電話帳の国番号の付与又は削除を行う（Ｓ９）。
【００４１】
このように、この実施例の構成によれば、自国外へのローミング時に得られる認証情報に基づいて携帯電話端末装置の時刻をローミング先の時刻に修正することができる。
また、この時刻修正の手段は、携帯電話端末装置に装備のスケジュール機能情報の修正を行うのに用いられるから、ローミング先の時刻に合わせてスケジュールを入力し直す必要がなくなり、時差等を意識することなく、スケジュールの管理を行うことができる。
さらには、自国外へのローミング時に、電話帳・発信履歴情報の変更（国際電話発信情報の付加、国際電話発信情報の削除）を国番号情報に基づいて行うことができる。
【実施例２】
【００４２】
図３は、この発明の実施例２である非接触ＩＣカード機能付き携帯電話端末装置の電気的構成を示す図、図４は、同非接触ＩＣカード機能付き携帯電話端末装置のローミング情報取得手順を示すフローチャートである。
この実施例の構成が、実施例１のそれと大きく異なる点は、出入国の際に、非接触ＩＣカード機能付き携帯電話端末装置の各種情報を事前に行き先対応の情報に修正するようにした点である。
【００４３】
この実施例の非接触ＩＣカード機能付き携帯電話端末装置１Ａ（実施例２の携帯電話端末装置１Ａという）は、図３に示すように、実施例１の構成に、非接触ＩＣカード機能部１６を付加して構成される。
非接触ＩＣカード機能部１６は、ローミング等で設定変更が必要とされる条件、例えば、出国又は入国時の審査等を検出する機能部である。
非接触ＩＣカード機能部１６は、制御部を有し、その制御部は、プログラムで所定の処理を行うように構成される。そのプログラムで実行される処理手順は、図４に示す。なお、図４内のステップＳ２３は、図２内のステップＳ３に続く。
この構成以外のこの実施例の構成は、実施例１と同じであるので、同一の構成部分には同一の参照符号を付して、その逐一の説明は省略する。
【００４４】
次に、図３及び図４を参照して、この実施例の動作について説明する。
この実施例の動作は、次の点を除き、実施例１と同様である。
すなわち、実施例１におけるオペレータ先のオペレータ情報の取得を次のようにして行う点である。
出入国の手続きに際して、実施例２の携帯電話端末装置１Ａの非接触ＩＣカード機能部１６を使用してローミング先の情報を読み出し（図４のＳ２１）、読み出したローミング先の情報から到達先の国情報を検出して（Ｓ２２）ローミング先のオペレータを選択する（Ｓ２３）。
【００４５】
このオペレータの選択後の処理は、実施例１と同じである。すなわち、図４に示すステップＳ２３から図２に示すステップＳ３へ処理が続く。
したがって、この実施例においても、時計表示機能の時刻修正、スケジュール機能の情報修正、電話帳又は発信履歴情報の修正が行われる。
【００４６】
このように、この実施例の構成によれば、出入国の手続き時に、ローミング先の情報を取得してそのローミング先の情報に基づいてローミング先のオペレータの選択、オペレータ情報の取得を行い、携帯電話端末装置の情報を、事前に、行き先対応の情報に更新して置くことができる。
【００４７】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記実施例では、携帯電話端末装置について説明したが、これに限らず、その他の情報端末装置、例えば、ＰＤＡでもこの発明を実施し得る。
また、上記実施例では、携帯電話端末装置の時刻、スケジュール機能情報、電話帳情報についての修正を説明したが、その他の情報であってもよい。
【図面の簡単な説明】
【００４８】
【図１】この発明の実施例１である携帯電話装置の電気的構成を示す図である。
【図２】同携帯電話装置のローミング時の保持情報修正処理手順を示すフローチャートである。
【図３】この発明の実施例２である携帯電話端末装置の電気的構成を示す図である。
【図４】同携帯電話端末装置のローミング情報取得手順を示すフローチャートである。
【図５】従来のカード式電話装置の構成を示す図である。
【図６】従来のデート表示装置の構成を示す図である。
【符号の説明】
【００４９】
１      ＵＳＩＭカード付き携帯電話端末装置（情報端末装置、携帯電話端末装置）
１Ａ      非接触ＩＣカード付き携帯電話端末装置（情報端末装置、携帯電話端末装置）
１２      携帯電話端末装置本体
１４      ＵＳＩＭカード
１６      非接触ＩＣカード
２７      制御部（情報取得手段の一部、修正手段の一部）
４１      制御部（情報取得手段の残部、修正手段の一部）
４２      メモリ（修正手段の残部）
【図１】
2006246049.tif 000003
【図２】
2006246049.tif 000004
【図３】
2006246049.tif 000005
【図４】
2006246049.tif 000006
【図５】
2006246049.tif 000007
【図６】
2006246049.tif 000008